(57)【要約】【課題】ディスプレイ装置等のような重量物を支柱に対して安定して設置することができる物品取付具、及び該物品取付具を備えた什器を提供する。【解決手段】取付具１６は、前後の端面１２ａ，１２ｂにそれぞれ係合孔２８が形成された支柱１２に対してディスプレイ装置１８等の物品を取り付けるための物品取付具であり、支柱１２の前後の端面１２ａ，１２ｂにそれぞれ形成された係合孔２８のうち、一方の端面１２ａの係合孔２８に係合される第１ブラケット４０及び他方の端面１２ｂの係合孔２８に係合される第２ブラケット４２と、支柱１２の側面を覆うように第１ブラケット４０及び第２ブラケット４２に渡って固定され、ディスプレイ装置１８を取り付けるための取付部４４ａが形成されたプレート部材４４とを備える。【選択図】図５
2014090909.tif 000002
【特許請求の範囲】
【請求項１】
前後の端面にそれぞれ係合孔が形成された支柱に対して物品を取り付けるための物品取付具であって、
前記支柱の前後の端面にそれぞれ形成された係合孔のうち、一方の係合孔に係合される第１ブラケット及び他方の係合孔に係合される第２ブラケットと、
前記支柱の側面を覆うように前記第１ブラケット及び前記第２ブラケットに渡って固定され、前記物品を取り付ける取付部が形成されたプレート部材と、
を備えることを特徴とする物品取付具。
【請求項２】
請求項１記載の物品取付具において、
前記第１ブラケット及び前記第２ブラケットは、前記係合孔に係合するフック部と、該フック部から屈曲して前記支柱の端面を覆うカバー部と、該カバー部から屈曲して前記プレート部材の側方部位を支持する支持部とを備えることを特徴とする物品取付具。
【請求項３】
請求項２記載の物品取付具において、
前記プレート部材の上端には、前記支柱の側面側に向かって屈曲されたフランジ部が設けられていることを特徴とする物品取付具。
【請求項４】
請求項２又は３記載の物品取付具において、
前記第１ブラケット及び前記第２ブラケットの各支持部には、前記プレート部材を取り付けるプレート取付部が設けられていることを特徴とする物品取付具。
【請求項５】
請求項２又は３記載の物品取付具において、
前記第１ブラケット及び前記第２ブラケットのうちの一方の支持部には、前記プレート部材が一体的に接合されていることを特徴とする物品取付具。
【請求項６】
少なくとも左右一対の支柱と、各支柱の間を連結する連結部材とを備え、各支柱の前後の端面にそれぞれ係合孔が形成された什器であって、
前記支柱の前後の端面にそれぞれ形成された係合孔のうち、一方の係合孔に係合される第１ブラケット及び他方の係合孔に係合される第２ブラケットと、
前記支柱の側面を覆うように前記第１ブラケット及び前記第２ブラケットに渡って固定され、前記物品を取り付ける取付部が形成されたプレート部材と、
を有する物品取付具を備えることを特徴とする什器。
【発明の詳細な説明】
【技術分野】
【０００１】
本発明は、支柱の前後の端面にそれぞれ設けられた係合孔を用いて該支柱にディスプレイ装置等の物品を取り付けるための物品取付具、及び該物品取付具を備えた什器に関する。
【背景技術】
【０００２】
例えば、企業や研究所、大学等の研究室等には、通常、専門的な実験を行うための什器として実験台が設置されている。一般的にこれら実験台には、様々な実験器具や実験機器を載置したり、実験作業を行い易くしたりするために、作業平面や部品載置面が広く確保されていることが求められている。
【０００３】
そこで、このようなニーズに応えるものとして、広い作業用の天板と、該天板の後方側の上方に設けられた収納棚或いは棚板とを備えた実験台が提案されている（特許文献１参照）。この実験台は、その前後の端面に複数の係合孔を設けた支柱を左右に立脚させ、それぞれの支柱の係合孔に対して天板等の支持アームのフック部を係合させることにより、左右の支柱の間に天板や収納棚等を設置することができる。
【先行技術文献】
【特許文献】
【０００４】
【特許文献１】特開２０１０−１０４９５０号公報
【発明の概要】
【発明が解決しようとする課題】
【０００５】
ところで、近年の液晶等の薄型ディスプレイ（モニタ）の普及に伴い、上記のような実験用の什器においても積極的に各種情報を提供するためのディスプレイ装置を設置することが求められている。また、研究者同士がディスカッションを行なうためのホワイトボート等を設置したいという要望もある。
【０００６】
ところが、ディスプレイ装置やホワイトボード等は、ある程度の重量を有する重量物であり、また、ある程度の外形上の大きさも有することから、実験等の邪魔にならず、また複数人で共有できる位置に高い強度で安定して設置できることが好ましい。そして、このような要望は、図書館やコンビニエンスストア、スーパーマーケット等にある書棚や商品陳列棚等の什器についても同様なものとなっている。
【０００７】
そこで、上記のような実験台や書棚等の天板や棚を支える支柱にディスプレイ装置等を簡単に設置できれば、上記のような要望を満たすことができて好ましい。
【０００８】
本発明は、上記従来技術の課題を考慮してなされたものであり、ディスプレイ装置等のような重量物を支柱に対して安定して設置することができる物品取付具、及び該物品取付具を備えた什器を提供することを目的とする。
【課題を解決するための手段】
【０００９】
本発明に係る物品取付具は、前後の端面にそれぞれ係合孔が形成された支柱に対して物品を取り付けるための物品取付具であって、前記支柱の前後の端面にそれぞれ形成された係合孔のうち、一方の係合孔に係合される第１ブラケット及び他方の係合孔に係合される第２ブラケットと、前記支柱の側面を覆うように前記第１ブラケット及び前記第２ブラケットに渡って固定され、前記物品を取り付ける取付部が形成されたプレート部材とを備えることを特徴とする。
【００１０】
また、本発明に係る什器は、少なくとも左右一対の支柱と、各支柱の間を連結する連結部材とを備え、各支柱の前後の端面にそれぞれ係合孔が形成された什器であって、前記支柱の前後の端面にそれぞれ形成された係合孔のうち、一方の係合孔に係合される第１ブラケット及び他方の係合孔に係合される第２ブラケットと、前記支柱の側面を覆うように前記第１ブラケット及び前記第２ブラケットに渡って固定され、前記物品を取り付ける取付部が形成されたプレート部材とを有する物品取付具を備えることを特徴とする。
【００１１】
このような構成によれば、物品取付具は、支柱の前後の端面にそれぞれ係合する第１ブラケット及び第２ブラケットと、これら第１ブラケット及び第２ブラケットに渡って固定されることで支柱の側面を覆うプレート部材とを備える。これにより、物品取付具を支柱の側端部を把持するようにして固定させることができるため、当該物品取付具を高い取付強度と安定性で支柱に対して取り付けることができる。従って、ディスプレイ装置やホワイトボート等のような重量物であっても、高い強度と安定性を持って支柱の側面に容易に設置することができる。
【００１２】
前記第１ブラケット及び前記第２ブラケットは、前記係合孔に係合するフック部と、該フック部から屈曲して前記支柱の端面を覆うカバー部と、該カバー部から屈曲して前記プレート部材の側方部位を支持する支持部とを備えると、これら第１ブラケット及び第２ブラケットで支柱の側端部を確実に把持した状態で物品取付具を支柱に固定することができ、その安定性を一層高めることができる。
【００１３】
前記プレート部材の上端には、前記支柱の側面側に向かって屈曲されたフランジ部が設けられていると、該フランジ部を第１ブラケット及び第２ブラケットの上端に着地させた状態でプレート部材をこれら第１ブラケット及び第２ブラケットに対して固定することができる。このため、ディスプレイ装置等の物品からプレート部材に対して付与される荷重の一部をフランジ部に分散させることができるため、物品取付時の当該物品取付具の安定性を一層向上させることができる。
【００１４】
この場合、前記第１ブラケット及び前記第２ブラケットの各支持部に、前記プレート部材を取り付けるプレート取付部を設け、当該物品取付具を実質的に３部品構成としてもよい。また、前記第１ブラケット及び前記第２ブラケットのうちの一方の支持部に、前記プレート部材を一体的に接合させ、当該物品取付具を実質的に２部品構成としてもよい。
【発明の効果】
【００１５】
本発明によれば、物品取付具として、支柱の前後の端面にそれぞれ係合する第１ブラケット及び第２ブラケットと、これら第１ブラケット及び第２ブラケットに渡って固定されることで支柱の側面を覆うプレート部材とを備える。これにより、物品取付具を支柱の側端部を把持するようにして固定させることができるため、当該物品取付具を高い取付強度と安定性で支柱に対して取り付けることができる。従って、ディスプレイ装置やホワイトボート等のような重量物であっても、高い強度と安定性を持って支柱の側面に容易に設置することができる。
【図面の簡単な説明】
【００１６】
【図１】図１は、本発明の一実施形態に係る什器の斜視図である。
【図２】図２は、図１に示す什器の一部分解斜視図である。
【図３】図３は、図１に示す什器の側面図である。
【図４】図４は、支柱に取り付けられた取付具の周辺部を示す斜視図である。
【図５】図５は、支柱への取付具の取付構造を示す分解斜視図である。
【図６】図６は、第１ブラケットの構成図であり、図６（Ａ）は、平面図であり、図６（Ｂ）は、外側面図であり、図６（Ｃ）は、内側面図である。
【図７】図７は、プレート部材の構成図であり、図７（Ａ）は、平面図であり、図７（Ｂ）は、内側面図であり、図７（Ｃ）は、正面図である。
【図８】図８は、プレート部材に対してディスプレイ装置を取り付ける構成例を示す斜視図である。
【図９】図９は、取付具に取り付けられるモニターアームの構成図である。
【発明を実施するための形態】
【００１７】
以下、本発明に係る物品取付具について、この取付具を取り付けた什器との関係で好適な実施の形態を挙げ、添付の図面を参照しながら詳細に説明する。
【００１８】
図１は、本発明の一実施形態に係る什器１０の斜視図であり、図２は、図１に示す什器１０の一部分解斜視図である。また、図３は、図１に示す什器１０の側面図である。本実施形態では、什器１０として、企業や研究所、大学等の研究室等に設置され、研究者が実験等の作業を行なうための実験台を例示する。本発明は、実験台以外のもの、例えば、図書館の書棚やコンビニエンスストア等の商品陳列棚等、各種用途の什器に対して適用可能であることは勿論である。
【００１９】
本実施形態では、図１及び図２に示すように、什器１０を左右方向（Ｘ方向）に２台並べて設置した構成を例示しているが、什器１０は単品で設置することも勿論可能である。２台の什器１０，１０は、略同様の構成であるので、以下では、一方の什器１０について詳細に説明し、他方の什器１０についての説明は省略する。
【００２０】
図１及び図２に示すように、什器１０は、左右一対で床面上に立設された中空状の支柱１２，１２と、左右の支柱１２，１２間に渡って架設された天板１４とを備え、外側を向く一方の支柱１２の側面（Ｘ方向側面）には、取付具（物品取付具）１６を介してディスプレイ装置（モニタ）１８が設置されている。ディスプレイ装置１８は、例えば液晶モニタである。什器１０の左右の支柱１２，１２間には、さらに、上方から下方に向かって順に、上部ビーム２０と、ユーティリティービーム２２と、ダクト装置２４とが架設されている。なお、什器１０の用途によっては、天板１４を使用しない場合もあり、例えば、左右一対の支柱１２，１２間に、連結部材として上部ビーム２０、ユーティリティービーム２２及びダクト装置２４のいずれか１つ又は複数を連結すれば、各種の実験台等を構成することができる。
【００２１】
このような什器１０では、電源線や信号線等の配線（図示せず）と、冷水や温水等の流体や各種ガス等の気体を供給するための配管（図示せず）とが、図示しない天井から引き出された後に支柱１２の内部を通って配設されており、ユーティリティービーム２２及びダクト装置２４から適宜取り出されるように構成されている。
【００２２】
一対の支柱１２，１２は、内側面を対向させた状態で左右方向に互いに離間して配置され、床面上に立設されている。各支柱１２の下部には、前後方向（Ｚ方向）に延びた脚部２６が向かい合わせで着脱自在に固定されている。支柱１２は、この脚部２６に支えられた状態で床面に立設されている。脚部２６は、図示しない係合爪部を複数有しており、これら複数の係合爪部を後述する係合孔２８に係合させることにより、支柱１２の前部の端面（前端面）１２ａ及び後部の端面（後端面）１２ｂに着脱可能である。
【００２３】
天板１４は、フラットな平面視矩形状の板であり、長手方向が一対の支柱１２，１２間に架け渡される大きさに形成されている。天板１４の両端の下面には、脚部２６と同様に係合孔２８に係合可能な係合爪部３０ａを有するブラケット３０がそれぞれ固定されている。係合孔２８は、各支柱１２の前後の端面１２ａ，１２ｂに対し、上下方向に沿って複数形成されている（図２参照）。これにより、天板１４は、床面からの高さが異なる複数の位置で支柱１２に対して着脱可能であり、選択された位置で一対の支柱１２，１２間に架け渡されるように固定される。
【００２４】
本実施形態の場合、天板１４は、作業者が実験を行うための作業平面として、或いは各種の実験機器を載置する載置面として利用されるものであり、図１及び図３に示すように、支柱１２の前後の端面１２ａ，１２ｂにそれぞれ同じ高さで２枚の天板１４を対面させた構成を例示している。支柱１２の係合孔２８は、天板１４や後述する取付具１６以外にも、例えば、支柱１２，１２間に渡る収納棚や薬品棚等、各種の棚や器具の取付用として利用できる。
【００２５】
図１中に２点鎖線で示すように、什器１０では、支柱１２の側面側であって、前後の天板１４，１４の側面を渡る位置に、平面視半円状のコーナー天板１５を取り付けることもできる。コーナー天板１５は、例えば、支柱１２の係合孔２８や、支柱１２の外側面に形成される図示しない取付孔等を利用し、所定のブラケット等を利用して固定される。コーナー天板１５を設置することにより、その上部で支柱１２の側面に固定されるディスプレイ装置１８と共に、当該什器１０を使用する複数の研究者のディスカッションスペースが構築され、什器１０の側方を有効利用できる。
【００２６】
上部ビーム２０は、断面Ｃ形状に形成された梁部材（連結部材）であり、一対の支柱１２，１２間に固定されている。この上部ビーム２０は、支柱１２，１２同士を横方向に連結するだけでなく、一方の支柱１２側から他方の支柱１２側へと、上記した配線を引き回す役割も果たす。上部ビーム２０は、一対の支柱１２，１２の対向する内側面に対して図示しないボルト、ナット等を用いて締結されるものであり、ユーティリティービーム２２及びダクト装置２４についても同様に取り付けされる。
【００２７】
ユーティリティービーム２２は、断面矩形状に形成された中空状の梁部材（連結部材）であり、上部ビーム２０と同様に一対の支柱１２，１２間に固定されている。ユーティリティービーム２２の内部には、上記した配線及び配管が支柱１２側から引き出されてそれぞれ配設されている。また、ユーティリティービーム２２の前後方向の両面には、内部に配設された配線が接続される電源コネクタ２２ａと、配管が接続されるバルブ２２ｂとがそれぞれ複数設けられている。
【００２８】
ダクト装置２４は、断面矩形状に形成された中空状の梁部材（連結部材）であり、ユーティリティービーム２２と同様に一対の支柱１２，１２間に固定されている。ダクト装置２４の内部には、上記した配線が支柱１２側から引き出されて配設されている。ダクト装置２４の上面には、取出口３２ａが設けられた着脱自在な蓋プレート３２が嵌っており、内部に配設された配線を、取出口３２ａを通じて外部に取り出すことができるようになっている。
【００２９】
次に、支柱１２の具体的な構成について説明する。
【００３０】
図４は、支柱１２に取り付けられた取付具１６の周辺部を示す斜視図であり、図５は、支柱１２への取付具１６の取付構造を示す分解斜視図である。
【００３１】
図５に示すように、支柱１２は、上下方向（Ｙ方向）に延在する配線用空間Ｅ１が内部に形成された支柱本体３４と、支柱本体３４の左右方向外側面に対して着脱自在に固定され、支柱本体３４との間に上下方向に延在する配管用空間Ｅ２を形成するカバー部材３６とから構成されている（図２も参照）。なお、本実施形態では、２台の什器１０，１０を左右方向に一体的に配設した構成を採用しているため、各什器１０の互いに当接する一方の支柱１２、つまり図１中の中央に配設された２本の支柱１２，１２にはカバー部材３６を設けず、これら２本の支柱１２，１２の支柱本体３４，３４同士を密着させた状態で配設している。
【００３２】
図２、図４及び図５に示すように、支柱本体３４は、上下方向（Ｙ方向）に延在する平面視矩形状の柱部材であり、ユーティリティービーム２２等が固定される内側面には、内方に凹み形成された溝部３４ａが上下方向に渡って形成されている。溝部３４ａ内には、スリットが形成された断面略Ｃ型状の長尺なチャンネル部材３８が嵌合されており、このチャンネル部材３８内の空間が配線用空間Ｅ１となる。チャンネル部材３８には、スリットを塞ぐ軟質なシート状の塞ぎ部材３８ａが設けられている。塞ぎ部材３８ａは、ゴム等の柔らかい材料で形成された可撓性の部材であり、一端側がチャンネル部材３８に固定され、他端側が自由端となっている。これにより、塞ぎ部材３８ａを変形させて、配線用空間Ｅ１に配設された図示しない配線を必要時に出し入れすることができる。
【００３３】
支柱本体３４の前後方向（Ｚ方向）にそれぞれ向いた端面１２ａ，１２ｂには、一定の間隔をあけながら複数の矩形スリット状の係合孔２８が上下方向に一列に形成されている（図２及び図５参照）。係合孔２８は、上記した脚部２６や天板１４等、さらに取付具１６が固定される孔部である。本実施形態の場合、係合孔２８は、上下方向に沿って複数形成されているので、使用する係合孔２８を変更することにより、天板１４や取付具１６（つまりディスプレイ装置１８）の位置を上下方向で所望の位置に変更することができる。
【００３４】
カバー部材３６は、平面視略Ｃ型状に形成され、支柱本体３４と略同一長さに形成された長尺な部材である。カバー部材３６が支柱本体３４の左右方向（Ｘ方向）の外側面に接した際に、両者の間には上下方向に延在する空間である配管用空間Ｅ２が形成される。カバー部材３６は、図示しない係合爪が、支柱本体３４の側面（ＸＸ方向の外側面）に形成された図示しないカバー部材用係合孔に係合されることにより、支柱本体３４に対して着脱自在に固定される。
【００３５】
このような支柱本体３４とカバー部材３６とからなる一方の支柱１２には、図示しない天井から引き出された上記の配線及び配管がそれぞれ配設されると共に、該配線は配線用空間Ｅ１に配設され、該配管は配管用空間Ｅ２に通される。図１及び図２に示すように、当該支柱１２の最上部には、天井と支柱１２との間の接続が外部に露呈するのを防止するための上部カバー３９が設けられている。
【００３６】
次に、このような支柱１２に取り付けられ、ディスプレイ装置１８を支柱１２に対して固定するための治具である取付具１６の具体的な構成について説明する。
【００３７】
取付具１６は、支柱１２の前後の端面１２ａ，１２ｂにそれぞれ形成された係合孔２８に対し、支柱１２の３面（前後面及び外側面）を囲繞するように着脱可能に取り付けられ、支柱１２の外側面にディスプレイ装置１８を取り付けるためのブラケットである。
【００３８】
図２〜図５に示すように、取付具１６は、支柱１２の前後の端面１２ａ，１２ｂに形成された係合孔２８にそれぞれ係合される第１ブラケット４０及び第２ブラケット４２と、支柱１２の側面を覆うように第１ブラケット４０及び第２ブラケット４２に渡って配置されたプレート部材４４とから構成されている。このプレート部材４４に、ディスプレイ装置１８を取り付けるための一対の取付部４４ａ，４４ａが形成されている。
【００３９】
図６は、第１ブラケット４０の構成図であり、図６（Ａ）は、平面図であり、図６（Ｂ）は、外側面図であり、図６（Ｃ）は、内側面図である。
【００４０】
図５及び図６に示すように、第１ブラケット４０は、支柱１２の係合孔２８に係合する係合爪部４６ａが上下方向に３個設けられたフック部４６と、フック部４６から屈曲して支柱１２の端面１２ａを覆うカバー部４８と、カバー部４８から屈曲してプレート部材４４の内面側方部位を支持する支持部５０と、支持部５０から一旦左右方向に屈曲した後、前後方向に屈曲されることにより支柱１２を構成するカバー部材３６の側面に当接する当接部５２とを有する。図４及び図５に示すように、第１ブラケット４０は、その一部にフック部４６、カバー部４８及び支持部５０からなる平面視コの字状部分を有し、この部分で支柱１２のカバー部材３６を把持するように覆うことができる。
【００４１】
フック部４６には、前後方向（Ｚ方向）に沿う矩形帯状の板状部材の端部に上下方向に沿って３個の係合爪部４６ａが設けられている（図５及び図６（Ｃ）参照）。各係合爪部４６ａのピッチ（間隔）は、支柱１２の各係合孔２８のピッチの整数倍に設定されている。フック部４６を所望の係合孔２８に係合させることにより、第１ブラケット４０を支柱１２の端面１２ａに着脱可能に固定することができる。本実施形態の場合、フック部４６を構成する各係合爪部４６ａは、上部の２個が近接配置され、下部の１個が上部の２個よりやや下方に離間して配置されている。これにより、プレート部材４４を介してある程度大きな荷重が付与された場合であっても、各係合爪部４６ａと各係合孔２８との係合状態を安定して維持することができる。
【００４２】
カバー部４８は、左右方向（Ｘ方向）に沿う矩形の板状部材であり、フック部４６の端部から直角に折り曲げられることにより、支柱１２のカバー部材３６の端面１２ａを覆う（図５、図６（Ａ）及び図６（Ｂ）参照）。
【００４３】
支持部５０は、前後方向（Ｚ方向）に沿う矩形の板状部材であり、カバー部４８の端部から直角に折り曲げられ、フック部４６と平行している（図５及び図６（Ａ）参照）。支持部５０には、上下方向に並んで一対のプレート取付部５０ａ，５０ａが設けられている（図６（Ａ）及び図６（Ｃ）参照）。プレート取付部５０ａは、支持部５０を板厚方向に貫通する貫通孔と、該貫通孔に連通するように当該支持部５０の内面に接合されたナットとによって構成されている。
【００４４】
当接部５２は、支持部５０より狭幅に形成され、前後方向（Ｚ方向）に沿う矩形の板状部材であり、支持部５０の端部から一旦左右方向（Ｘ方向）内方へと短く直角に折り曲げられた後、さらに前後方向（Ｚ方向）後方へと直角に折り曲げられ、フック部４６及び支持部５０と平行している（図５及び図６（Ａ）参照）。支柱１２の外側面と対面する当接部５２の内面には、緩衝材（クッション材）５２ａが接着等によって固定されている。緩衝材５２ａは、当接部５２がカバー部材３６の外側面に着地した状態でのがたつきやカバー部材３６の損傷等を防止するために設けられている。
【００４５】
このような第１ブラケット４０は、図２、図４及び図５に示すように、支柱１２の所望の高さ位置の係合孔２８に対してフック部４６の各係合爪部４６ａを挿入し係合させることにより、カバー部４８が支柱１２のカバー部材３６の前方の端面１２ａを覆うように配置され、支持部５０がカバー部材３６の外側面を覆うように配置され、さらに当接部５２が緩衝材５２ａを介してカバー部材３６の側面に当接する。
【００４６】
なお、第２ブラケット４２は、支柱１２を挟むように上記した第１ブラケット４０の反対側の端面１２ｂに取り付けられるものであり、第１ブラケット４０に対して左右方向（Ｘ方向）を基準とする対称形状に形成される以外は該第１ブラケット４０と同一形状且つ同一構成である。そこで、第２ブラケット４２の各構成要素については、第１ブラケット４０のものと同一の参照符号を付してその詳細な説明を省略する。すなわち、第２ブラケット４２は、３個の係合爪部４６ａが設けられたフック部４６と、支柱１２の後方の端面１２ｂを覆うカバー部４８と、プレート部材４４の側面を支持する支持部５０と、支柱１２を構成するカバー部材３６の外側面に緩衝材５２ａを介して当接する当接部５２とを有する。
【００４７】
図７は、プレート部材４４の構成図であり、図７（Ａ）は、平面図であり、図７（Ｂ）は、内側面図であり、図７（Ｃ）は、正面図である。また、図８は、プレート部材４４に対してディスプレイ装置１８を取り付ける構成例を示す斜視図である。
【００４８】
図５及び図７に示すように、プレート部材４４は、前後方向（Ｚ方向）に沿う矩形の板状部材であるプレート部５４と、プレート部５４の上端を左右方向（Ｘ方向）内方（支柱１２側）に向けて水平に折り曲げた帯状のフランジ部５６とを有する。
【００４９】
図５及び図７（Ｂ）に示すように、プレート部５４の四隅には、当該プレート部材４４を第１ブラケット４０及び第２ブラケット４２に渡って固定するために板厚方向に貫通した取付孔５４ａが形成され、中央部やや上方寄りには、ディスプレイ装置１８を固定するための前後一対の取付部４４ａ，４４ａが設けられている。
【００５０】
各取付孔５４ａは、支柱１２の前後の端面１２ａ，１２ｂに向かい合わせで係合固定される第１ブラケット４０及び第２ブラケット４２の各プレート取付部５０ａにそれぞれ対応する位置に設けられている。従って、図４及び図５から明らかなように、ボルト５８の図示しないねじ部をプレート部材４４の外面側から取付孔５４ａへと挿通させ、第１ブラケット４０及び第２ブラケット４２の外面側からプレート取付部５０ａに締結することにより、プレート部材４４を第１ブラケット４０及び第２ブラケット４２に対して固定することができる。
【００５１】
取付部４４ａは、プレート部５４を板厚方向に貫通する貫通孔と、該貫通孔に連通するように当該プレート部５４の内面（フランジ部５６側の面）に接合されたナットとによって構成されている。各取付部４４ａは、図８に示すように、ディスプレイ装置１８の背面に固定されるブラケット６０に形成された一対の取付孔６２ａ，６２ａにそれぞれ対応する位置に設けられている。従って、ボルト６４のねじ部をブラケット６０の取付孔６２ａに挿通させ、プレート部材４４の外面側から取付部４４ａに締結することにより、ブラケット６０をプレート部材４４の外面側に固定することができる。
【００５２】
本実施形態の場合、ディスプレイ装置１８を取付具１６に着脱するために設けられるブラケット６０は、図８に示すように、板状部材の上端及び下端を屈曲させて形成した上下一対の脚部６６，６６と、上下の脚部６６，６６間に設けられたプレート台６２とから構成されており、プレート台６２の略中央部に前後一対の取付孔６２ａ，６２ａが形成されている。また、各脚部６６には、それぞれ前後方向で一対の孔部６６ａ，６６ａが形成されており、この孔部６６ａ，６６ａに対し背面側からディスプレイ装置１８の背面に設けられた図示しないフックが引っ掛け固定される。勿論、ディスプレイ装置１８のブラケット６０への固定構造は、前記フックを用いた構造以外、例えばボルト等を用いた固定構造等であってもよい。また、ブラケット６０を用いず、ディスプレイ装置１８の背面に設けられた図示しない取付部をプレート部材４４の取付部４４ａに対して直接的に固定する構造としても勿論よい。
【００５３】
図４、図７（Ａ）及び図７（Ｃ）に示すように、フランジ部５６は、プレート部５４の上端を直角に屈曲させ、左右方向（Ｘ方向）内方に突出させた形状である。フランジ部５６は、支柱１２の前後の端面１２ａ，１２ｂに向かい合わせで係合固定された第１ブラケット４０及び第２ブラケット４２の上端に着地する。より具体的には、フランジ部５６は、第１ブラケット４０及び第２ブラケット４２の支持部５０から当接部５２までの上端に着地し、これら第１ブラケット４０及び第２ブラケット４２の上端間に架設される。
【００５４】
次に、以上のように構成される取付具１６を用いた支柱１２へのディスプレイ装置１８の取付方法及び取付構造の一例を説明する。
【００５５】
ディスプレイ装置１８を支柱１２に取り付ける際には、先ず、取付具１６を支柱１２に固定する。すなわち、支柱１２の前後の端面１２ａ，１２ｂに形成される所望の高さ位置の係合孔２８に対し、それぞれ第１ブラケット４０及び第２ブラケット４２の係合爪部４６ａを挿入し係合させ、当接部５２をカバー部材３６の外側面に当接させる（図４及び図５参照）。
【００５６】
続いて、支柱１２に係合させた第１ブラケット４０及び第２ブラケット４２の各支持部５０のプレート取付部５０ａに対し、プレート部材４４の取付孔５４ａを通したボルト５８を締結する。これにより、プレート部材４４は支柱１２を前後方向に跨ぐ姿勢で、第１ブラケット４０及び第２ブラケット４２の各支持部５０により支持・固定され、取付具１６の支柱１２への取り付けが完了する（図２及び図４参照）。このように、取付具１６は、第１ブラケット４０、第２ブラケット４２及びプレート部材４４により、支柱１２の側端部３面を囲繞するように該支柱１２に対して固定されるため、その取付強度及び安定性は非常に高い。しかも、この状態では、プレート部材４４のフランジ部５６が第１ブラケット４０及び第２ブラケット４２の上端に着地した状態となるため、プレート部材４４と第１ブラケット４０及び第２ブラケット４２との連結状態は一層強固となり、その安定性も一層高くなっている。
【００５７】
次に、支柱１２に取り付けた取付具１６に対してディスプレイ装置１８を取り付ける際には、先ず、取付具１６に対してブラケット６０を固定する。すなわち、支柱１２の外側面に固定された取付具１６を構成するプレート部材４４の取付部４４ａに対し、ブラケット６０の取付孔６２ａを通したボルト６４を締結することにより、ブラケット６０をプレート部材４４、つまり取付具１６に対して固定する（図８参照）。そして、取付具１６を介して支柱１２に固定されたブラケット６０の各孔部６６ａに対し、ディスプレイ装置１８の背面に設けられた図示しないフックを引っ掛け固定することにより、支柱１２へのディスプレイ装置１８の取り付けが完了する。
【００５８】
以上のように、本実施形態に係る取付具１６は、前後の端面１２ａ，１２ｂにそれぞれ係合孔２８が形成された支柱１２に対して物品（本実施形態ではディスプレイ装置１８）を取り付けるための物品取付具であり、支柱１２の前後の端面１２ａ，１２ｂにそれぞれ形成された係合孔２８のうち、一方の端面１２ａの係合孔２８に係合される第１ブラケット４０及び他方の端面１２ｂの係合孔２８に係合される第２ブラケット４２と、支柱１２の側面を覆うように第１ブラケット４０及び第２ブラケット４２に渡って固定され、ディスプレイ装置１８を取り付けるための取付部４４ａが形成されたプレート部材４４とを備える。
【００５９】
このように、取付具１６は、支柱１２の前後の端面１２ａ，１２ｂに係合する第１ブラケット４０及び第２ブラケット４２と、これら第１ブラケット４０及び第２ブラケット４２に渡って固定されることで支柱１２の側面を覆うプレート部材４４とを備える。このため、取付具１６を支柱１２の側端部を把持するように該支柱１２の３面を囲繞して固定させることができ、高い取付強度と安定性で支柱１２に対して着脱可能に取り付けることができる。従って、ディスプレイ装置１８のような重量物であっても、高い強度と安定性を持ってプレート部材４４の取付部４４ａに取り付けることができる。しかも、取付具１６では、プレート部材４４の上端にフランジ部５６を設けている。このため、プレート部５４の取付部４４ａに重量物であるディスプレイ装置１８が固定された際に生じる荷重の一部を、該フランジ部５６によって受け止めることができ、取付部４４ａやプレート取付部５０ａに付与される荷重を分散させることができ、その安定性が一層高いものとなっている。
【００６０】
取付具１６は支柱１２に対して、第１ブラケット４０及び第２ブラケット４２のフック部４６に設けられた係合爪部４６ａを係合孔２８に係合させ、これら第１ブラケット４０及び第２ブラケット４２にプレート部材４４を固定するだけの簡素な構成であり、支柱１２に対する着脱も容易となっている。また、支柱１２の側面を覆うプレート部材４４にディスプレイ装置１８の取付部４４ａを設けているため、ある程度の重量物であるディスプレイ装置１８を、実験等の邪魔にならず、また複数人で共有できる什器１０の側部位置、つまり支柱１２の側面に対して固定することができ、利便性も高い。
【００６１】
本実施形態では、第１ブラケット４０及び第２ブラケット４２の各支持部５０にプレート部材４４を取り付けるプレート取付部５０ａを設け、当該取付具１６を実質的に３部品構成としている。このため、取付具１６の支柱１２への取り付け時には、第１ブラケット４０及び第２ブラケット４２をそれぞれ係合孔２８に係合させ、そこにプレート部材４４をボルト５８で固定するだけで、容易に且つ高い安定性で取付具１６を支柱１２の側面に設置することができる。なお、第１ブラケット４０及び第２ブラケット４２のうちの一方の支持部５０に対し、プレート部材４４の一側端部を溶接等によって一体的に接合させておき、当該取付具１６を実質的に２部品構成としても勿論よい。そうすると、取付具１６の支柱１２への取り付けが、一層簡便なものとなる。
【００６２】
本実施形態の場合、取付具１６は、支柱１２の前後の端面１２ａ，１２ｂに対して、天板１４等を取り付けるために予め形成された当該什器１０の標準仕様の係合孔２８を利用して、支柱１２の側面に設置することが可能となっている。このため、什器１０では、例えば、オプション品として構成されるディスプレイ装置１８や図示しないホワイトボード等を支柱１２の側面に取り付ける場合であっても、これらオプション品のための係合孔や取付部を支柱１２の側面に形成しておく必要がなく、支柱１２の外観が損なわれることもなく、また低コストでこれらオプション品を追加することができる。
【００６３】
なお、取付具１６を用いて支柱１２に固定可能な物品としては、ディスプレイ装置１８以外であっても勿論よく、例えば、上記したホワイトボードの他に、図示しない収納ラック等、各種の物品を取り付けることができる。例えば、什器１０を図書館の書棚（図示せず）に適用した場合には、該書棚の側部に対し、書籍の管理情報や収納位置を表示するディスプレイ装置や掲示板等を設置することができる。また、什器１０をコンビニエンスストア等の商品陳列棚に適用した場合には、該商品陳列棚の側部に対し、商品の販売促進用のディスプレイ装置やポスター、さらには補助的な陳列棚等を設置することができる。
【００６４】
ディスプレイ装置１８の取付具１６への取付構造は、図８に示すように、その背面にブラケット６０を用いて直接的に固定する以外にも、例えば、図９に示すように、モニタアーム７０を用いたものであってもよい。モニタアーム７０は、上記のブラケット６０の代わりとなり、前後方向で一対の取付孔６２ａ，６２ａが形成された基端ブラケット７２を有する。
【００６５】
基端ブラケット７２の取付具１６への取付面とは反対側の面（図９の手前面）には、第１アーム７４が固定され、第１アーム７４の先端には、Ｙ方向の第１軸Ｙ１と第２軸Ｙ２を設けたリンク部材７６を介して第２アーム７８が前後方向に揺動可能に軸支されている。さらに、第２アーム７８の先端には、Ｚ方向の第３軸Ｚ１を設けた第３アーム８０が上下方向に揺動可能に軸支されている。この第３アーム８０の先端に、ディスプレイ装置１８の背面に設けられる図示しないフックを引っ掛けるための孔部６６ａ，６６ａが四隅に設けられた先端ブラケット８２が固定されている。
【００６６】
従って、モニタアーム７０では、基端ブラケット７２を支柱１２に固定した取付具１６のプレート部材４４に固定し、先端ブラケット８２にディスプレイ装置１８を固定することにより、ディスプレイ装置１８を支柱１２に対して３軸回動構造で固定させることができる。このため、支柱１２の側面に設けたディスプレイ装置１８を什器１０の前後方向（Ｚ方向）に向けることもでき、例えば、天板１４に向かって作業をしている研究者の補助ディスプレイとして利用することもできる。
【００６７】
なお、本発明は、上記した実施形態に限定されるものではなく、本発明の主旨を逸脱しない範囲で自由に変更できることは勿論である。
【００６８】
例えば、上記実施形態では、支柱１２の外側面（カバー部材３６側）に取付具１６を設置する構成を例示したが、取付具１６は、支柱１２の内側面（支柱本体３４側）に設置しても勿論よい。
【００６９】
また、上記実施形態では、什器１０として、一対以上の支柱１２，１２を設けた構成を例示したが、支柱１２はその下部に脚部２６を放射状に設けることで１本のみで立脚されるものであってもよい。
【符号の説明】
【００７０】
１０  什器
１２  支柱
１２ａ，１２ｂ  端面
１４  天板
１６  取付具
１８  ディスプレイ装置
２８  係合孔
３０ａ，４６ａ  係合爪部
３４  支柱本体
３６  カバー部材
４０  第１ブラケット
４２  第２ブラケット
４４  プレート部材
４４ａ  取付部
４６  フック部
４８  カバー部
５０  支持部
５０ａ  プレート取付部
５２  当接部
５４  プレート部
５４ａ，６２ａ  取付孔
５６  フランジ部
７０  モニタアーム
【図１】
2014090909.tif 000003
【図２】
2014090909.tif 000004
【図３】
2014090909.tif 000005
【図４】
2014090909.tif 000006
【図５】
2014090909.tif 000007
【図６】
2014090909.tif 000008
【図７】
2014090909.tif 000009
【図８】
2014090909.tif 000010
【図９】
2014090909.tif 000011